(57)【要約】    【課題】実際にカメラを使用したときの操作方法をコンピュータ上で利用者に対して分かりやすく説明する。    【解決手段】カメラ１の外観図をコンピュータ上に画面表示し、この外観図において、カメラ１に備えられている各種の操作部材や表示部材をそれぞれ表す各マーク４１〜４４を表示する。さらに矢印４０を表示することにより、各マークのうち電源スイッチマーク４１をクリックするように指示する。電源スイッチマーク４１をサービス利用者がクリックすると、また別のマークをクリックするように指示する。このようにして、カメラ１の操作手順に応じてクリックを指示するマークを順番に変化していくことにより、カメラ１を実際に操作するときの操作方法をサービス利用者に対して説明する。【選択図】図４
2006048112.tif 000002
【特許請求の範囲】
【請求項１】
カメラの製品情報をコンピュータを用いて利用者に提供する方法であって、
前記カメラに配設されている様々な操作部材を表すための各種のマークを前記コンピュータに画面表示し、
前記画面表示されたマークに対する利用者からの入力操作に基づいて、前記カメラを操作するときの操作方法の説明を前記コンピュータにより前記利用者に提供することを特徴とするカメラの製品情報の提供方法。
【請求項２】
請求項１のカメラの製品情報の提供方法において、
複数の前記マークを前記コンピュータに画面表示し、
前記カメラの操作手順に基づいて予め設定された順序で、前記複数のマークの各々に対して入力操作を指示し、
入力操作を指示したマークに対する利用者からの入力操作に応じて、次のマークに対して入力操作を指示することにより、前記操作方法の説明を前記コンピュータにより前記利用者に提供することを特徴とするカメラの製品情報の提供方法。
【請求項３】
請求項１のカメラの製品情報の提供方法において、
前記カメラが合焦状態のときの撮影対象像を表すための画像（撮影対象画像）をさらに前記コンピュータに画面表示し、
前記カメラにおいて前記撮影対象像に対して設定される複数のフォーカスエリアのそれぞれを表すための複数のフォーカスエリアマークを前記撮影対象画像上に表示し、
前記カメラにおいて前記複数のフォーカスエリアのいずれかを選択するために配設されている選択用操作部材を表すための選択用操作部材マークをさらに前記コンピュータに画面表示し、
前記撮影対象画像を前記コンピュータに画面表示するとき、前記選択用操作部材マークに対する利用者からの入力操作に基づいて前記複数のフォーカスエリアマークのいずれかより選択された単数または複数のフォーカスエリアマーク内の被写体に合わせて焦点調節された画像を表示することにより、前記操作方法の説明を前記コンピュータにより前記利用者に提供することを特徴とするカメラの製品情報の提供方法。
【請求項４】
請求項３のカメラの製品情報の提供方法において、
前記撮影対象画像を前記コンピュータに画面表示するとき、前記選択された複数のフォーカスエリアマーク内の被写体のうち、最も手前側に位置している被写体に合わせて焦点調節された画像を表示することを特徴とするカメラの製品情報の提供方法。
【請求項５】
請求項３または４のカメラの製品情報の提供方法において、
複数の画像を所定のフレーム順序で画面表示することにより、前記撮影対象画像として動画を画面表示し、
前記カメラにより撮影された撮影像を表すための画像（撮影画像）として、前記複数の画像のうち、前記利用者の入力操作に基づいて決定された撮影タイミングに応じたフレームの画像を、さらに前記コンピュータに画面表示することを特徴とするカメラの製品情報の提供方法。
【請求項６】
カメラの製品情報をコンピュータを用いて利用者に提供するためのカメラの製品情報の提供プログラムであって、
前記カメラに配設されている様々な操作部材を表すための各種のマークを画面表示する第１の処理ステップと、
前記第１の処理ステップにより画面表示されたマークに対する利用者からの入力操作に基づいて、前記カメラを操作するときの操作方法の説明を前記利用者に提供する第２の処理ステップとをコンピュータに実行させるためのカメラの製品情報の提供プログラム。
【請求項７】
請求項６のカメラの製品情報の提供プログラムにおいて、
前記第１の処理ステップにおいて、複数の前記マークを画面表示し、
前記第２の処理ステップにおいて、前記カメラの操作手順に基づいて予め設定された順序で、前記複数のマークの各々に対して入力操作を指示し、入力操作を指示したマークに対する利用者からの入力操作に応じて、次のマークに対して入力操作を指示することを特徴とするカメラの製品情報の提供プログラム。
【請求項８】
請求項６のカメラの製品情報の提供プログラムにおいて、
前記第２の処理ステップにおいて、
前記カメラが合焦状態のときの撮影対象像を表すための画像（撮影対象画像）を画面表示する処理ステップと、
前記カメラにおいて前記撮影対象像に対して設定される複数のフォーカスエリアのそれぞれを表すための複数のフォーカスエリアマークを前記撮影対象画像上に表示する処理ステップとを実行し、
前記第１の処理ステップにおいて、前記複数のフォーカスエリアのいずれかを選択するために前記カメラに配設されている選択用操作部材を表す選択用操作部材マークを画面表示し、
前記撮影対象画像を画面表示する処理ステップにおいて、前記第１の処理ステップにより画面表示された選択用操作部材マークに対する利用者からの入力操作に基づいて前記複数のフォーカスエリアマークのいずれかより選択された単数または複数のフォーカスエリアマーク内の被写体に合わせて焦点調節された画像を表示することを特徴とするカメラの製品情報の提供プログラム。
【請求項９】
請求項８のカメラの製品情報の提供プログラムにおいて、
前記撮影対象画像を画面表示する処理ステップにおいて、前記選択された複数のフォーカスエリアマーク内の被写体のうち、最も手前側に位置している被写体に合わせて焦点調節された画像を表示することを特徴とするカメラの製品情報の提供プログラム。
【請求項１０】
請求項８または９のカメラの製品情報の提供プログラムにおいて、
前記撮影対象画像を画面表示する処理ステップにおいて、複数の画像を所定のフレーム順序で画面表示することにより、撮影対象画像として動画を画面表示し、
前記カメラにより撮影された撮影像を表すための画像（撮影画像）として、前記複数の画像のうち、前記利用者の入力操作に基づいて決定された撮影タイミングに応じたフレームの画像を画面表示する第３の処理ステップをさらにコンピュータに実行させることを特徴とするカメラの製品情報の提供プログラム。
【請求項１１】
請求項１〜５のいずれかのカメラの製品情報の提供方法を実行するカメラの製品情報提供装置。
【発明の詳細な説明】
【技術分野】
【０００１】
本発明は、インターネットのＷｅｂコンテンツ等によってカメラの製品情報を提供する技術に関する。
【背景技術】
【０００２】
従来よりＷｅｂ上で様々なカメラの製品情報が公開されている。たとえば、デジタルカメラの機能や動作のしくみなどについて、動画を用いて紹介したものが知られている（非特許文献１）。
【０００３】
【非特許文献１】キヤノン株式会社、“技術のご紹介＞＞製品の技術＞＞デジタル一眼レフカメラ”、［online］、［平成１６年４月２２日検索］、インターネット＜URL：http://web.canon.jp/technology/t_seihin/tech_d35cam.html＞
【発明の開示】
【発明が解決しようとする課題】
【０００４】
非特許文献１に開示されるＷｅｂ上で公開されているカメラの製品情報によれば、実際にそのカメラを使用したときの操作方法がコンピュータモニタ上では分かりにくいという問題がある。
【課題を解決するための手段】
【０００５】
請求項１の発明によるカメラの製品情報の提供方法は、カメラの製品情報をコンピュータを用いて利用者に提供する方法であって、カメラに配設されている様々な操作部材を表すための各種のマークをコンピュータに画面表示し、画面表示されたマークに対する利用者からの入力操作に基づいて、カメラを操作するときの操作方法の説明をコンピュータにより利用者に提供するものである。
請求項２の発明は、請求項１のカメラの製品情報の提供方法において、複数のマークをコンピュータに画面表示し、カメラの操作手順に基づいて予め設定された順序で、複数のマークの各々に対して入力操作を指示し、入力操作を指示したマークに対する利用者からの入力操作に応じて、次のマークに対して入力操作を指示することにより、操作方法の説明をコンピュータにより利用者に提供するものである。
請求項３の発明は、請求項１のカメラの製品情報の提供方法において、カメラが合焦状態のときの撮影対象像を表すための画像（撮影対象画像）をさらにコンピュータに画面表示し、カメラにおいて撮影対象像に対して設定される複数のフォーカスエリアのそれぞれを表すための複数のフォーカスエリアマークを撮影対象画像上に表示し、カメラにおいて複数のフォーカスエリアのいずれかを選択するために配設されている選択用操作部材を表すための選択用操作部材マークをコンピュータに画面表示し、撮影対象画像をコンピュータに画面表示するとき、選択用操作部材マークに対する利用者からの入力操作に基づいて複数のフォーカスエリアマークのいずれかより選択された単数または複数のフォーカスエリアマーク内の被写体に合わせて焦点調節された画像を表示することにより、操作方法の説明をコンピュータにより利用者に提供するものである。
請求項４の発明は、請求項３のカメラの製品情報の提供方法において、撮影対象画像をコンピュータに画面表示するとき、選択された複数のフォーカスエリアマーク内の被写体のうち、最も手前側に位置している被写体に合わせて焦点調節された画像を表示するものである。
請求項５の発明は、請求項３または４のカメラの製品情報の提供方法において、複数の画像を所定のフレーム順序で画面表示することにより、撮影対象画像として動画を画面表示し、カメラにより撮影された撮影像を表すための画像（撮影画像）として、複数の画像のうち、利用者の入力操作に基づいて決定された撮影タイミングに応じたフレームの画像を、さらにコンピュータに画面表示するものである。
請求項６の発明によるカメラの製品情報の提供プログラムは、カメラの製品情報をコンピュータを用いて利用者に提供するためのカメラの製品情報の提供プログラムであって、カメラに配設されている様々な操作部材を表すための各種のマークを画面表示する第１の処理ステップと、第１の処理ステップにより画面表示されたマークに対する利用者からの入力操作に基づいて、カメラを操作するときの操作方法の説明を利用者に提供する第２の処理ステップとをコンピュータに実行させるものである。
請求項７の発明は、請求項６のカメラの製品情報の提供プログラムにおいて、第１の処理ステップにおいて、複数のマークを画面表示し、第２の処理ステップにおいて、カメラの操作手順に基づいて予め設定された順序で、複数のマークの各々に対して入力操作を指示し、入力操作を指示したマークに対する利用者からの入力操作に応じて、次のマークに対して入力操作を指示するものである。
請求項８の発明は、請求項６のカメラの製品情報の提供プログラムにおいて、第２の処理ステップにおいて、カメラが合焦状態のときの撮影対象像を表すための画像（撮影対象画像）を画面表示する処理ステップと、カメラにおいて撮影対象像に対して設定される複数のフォーカスエリアのそれぞれを表すための複数のフォーカスエリアマークを撮影対象画像上に表示する処理ステップとを実行し、第１の処理ステップにおいて、複数のフォーカスエリアのいずれかを選択するためにカメラに配設されている選択用操作部材を表す選択用操作部材マークを画面表示し、撮影対象画像を画面表示する処理ステップにおいて、第１の処理ステップにより画面表示された選択用操作部材マークに対する利用者からの入力操作に基づいて複数のフォーカスエリアマークのいずれかより選択された単数または複数のフォーカスエリアマーク内の被写体に合わせて焦点調節された画像を表示するものである。
請求項９の発明は、請求項８のカメラの製品情報の提供プログラムにおいて、撮影対象画像を画面表示する処理ステップにおいて、選択された複数のフォーカスエリアマーク内の被写体のうち、最も手前側に位置している被写体に合わせて焦点調節された画像を表示するものである。
請求項１０の発明は、請求項８または９のカメラの製品情報の提供プログラムにおいて、撮影対象画像を画面表示する処理ステップにおいて、複数の画像を所定のフレーム順序で画面表示することにより、撮影対象画像として動画を画面表示し、カメラにより撮影された撮影像を表すための画像（撮影画像）として、複数の画像のうち、利用者の入力操作に基づいて決定された撮影タイミングに応じたフレームの画像を画面表示する第３の処理ステップをさらにコンピュータに実行させるものである。
請求項１１の発明によるカメラの製品情報提供装置は、請求項１〜５のいずれかのカメラの製品情報の提供方法を実行するものである。
【発明の効果】
【０００６】
本発明によれば、カメラに配設されている様々な操作部材を表す各種のマークを画面表示し、このマークに対する利用者からの入力操作に基づいて、カメラの操作方法の説明をコンピュータにより利用者に提供することとした。このようにしたので、実際にカメラを使用したときの操作方法をコンピュータ上で利用者に対して分かりやすく説明できる。
【発明を実施するための最良の形態】
【０００７】
以下、図面を参照して本発明の実施の形態を説明する。図１は、本発明の一実施形態によるWebサイト用コンテンツが登録されるWebサイトの全体構成例を示す図である。図１において、サービス提供者はデータセンタにサーバを配置し、サービス利用者は端末からインターネットに接続してWebサイトを検索する。サービス利用者が、インターネットにアクセス可能なパソコンなどの端末からWebサイトサーバのURL(Uniform Resource Locator)を指定すると、当該サーバ側に格納されているコンテンツのデータが読み出されてサービス利用者の端末に送られる。
【０００８】
データセンタ内には、画像データを格納する画像用サーバ、メールデータを格納するメール用サーバ、Webデータを格納するWeb用サーバ、コンテンツを管理するコンテンツ管理サーバなどが設けられている。この他、提供されるその他のコンテンツ情報を格納するサーバＡ〜サーバＣや、データベースサーバなども設けられている。
【０００９】
図２は、サービス利用者の端末のディスプレイに表示されるWebのトップページ画面の例を示す図である。この画面は、Webによるサービスを利用する人の端末から指定されたURLに格納されているデータに基づいて、サービス利用者の端末に備えられるブラウジング用プログラムによって当該端末のディスプレイに表示される。図２において、たとえば、６つのカテゴリページへのリンク先ボタン２１〜２６が表示されている。さらに、「記事１」のページへのリンク先ボタン２８と、「記事２」のページへのリンク先ボタン２９と、このWebサイトによるサービスを利用するための「会員登録」ページへのリンク先ボタン２７とが表示される。
【００１０】
「会員登録」ページは、Webによるサービス利用者の登録を行うためのページである。「新着情報」ページは、Webサイトに新しく登録されたコンテンツなどの情報をサービス利用者に紹介するためのページである。「製品紹介」ページは、各種カメラ、たとえば新製品のデジタルカメラについての製品情報を提供するためのページである。「メール」ページは、サービス利用者にメールの送受信サービスを提供するページである。「サービスＡ」ページ、「サービスＢ」ページ、および「サービスＣ」ページは、それぞれ所定のサービスをサービス利用者に提供するページである。また、「記事１」ページおよび「記事２」ページは、それぞれ特集記事をサービス利用者に提供するページである。
【００１１】
Webによるサービスを利用する人が、端末に備えられる不図示のポインティングデバイスを操作してリンク先ボタンをクリックすると、各リンク先ボタンに対応して貼りつけられているリンク先の情報、すなわち、URLが指定される。これにより、当該URL内に格納されているデータが端末に向けて送信され、当該データによる画面が端末のディスプレイに表示される。
【００１２】
本実施の形態では、「製品紹介」を行うコンテンツに特徴を有するので、このコンテンツを中心に説明する。たとえば、Webによるサービス利用者が「製品紹介」のリンク先ボタン２２をクリックすると、図１のデータセンタから当該カメラの製品情報を提供するために必要なプログラムが端末へ送信される。このプログラムが実行されることにより、図３に示すような製品紹介の画面が端末のディスプレイに表示される。なお、このプログラムは、サービス提供者によって供給される当該プログラムの記録媒体から端末にインストールしてもよい。
【００１３】
図３の画面において、たとえば、４つのカテゴリページへのリンク先ボタン３１〜３４が表示されている。「主な特長」ページは、当該カメラの主な特長を紹介するためのページである。「機能・性能」ページは、当該カメラの機能や性能を紹介するためのページである。「ＡＦモード１撮影」および「ＡＦモード２撮影」ページは、当該カメラを実際に使用した撮影方法を紹介するためのページである。サービス利用者がこれらのリンク先ボタンのいずれかをクリックすると、図２のトップページと同様に対応するリンク先が指定されて、そのリンク先より送信されたデータによる画面が端末のディスプレイに表示される。
【００１４】
本実施の形態では、上記のうち「ＡＦモード１撮影」および「ＡＦモード２撮影」のコンテンツに特徴を有するので、これらのコンテンツについて説明する。「ＡＦモード１撮影」ページは、当該カメラを用いて静止している（または、動きの少ない）被写体を撮影するときの操作方法を紹介するためのページである。また、「ＡＦモード２撮影」ページは、動いている被写体を撮影するときの操作方法を紹介するためのページである。以下、これら各コンテンツの内容について順に説明する。
【００１５】
−ＡＦモード１撮影−
「ＡＦモード１撮影」ページへのリンク先ボタン３３がクリックされると、図４または図５に示す画面（以下、これらの画面をカメラ操作画面という）の一方が端末のディスプレイに表示される。サービス利用者の操作状態に応じて、表示されるカメラ操作画面がいずれか一方に切り替えられるが、どのような操作状態のときにどちらのカメラ操作画面が表示されるかについては後ほど説明する。
【００１６】
図４と図５のカメラ操作画面には、いずれもカメラ１の外観図が表示される。図４のカメラ操作画面はカメラ１を上方から見たときの外観図を、図５のカメラ操作画面はカメラ１を背面から見たときの外観図を、それぞれ表示している。なお、カメラ１はいわゆるデジタル一眼レフカメラの一種である。本実施形態では、このカメラ１を製品紹介の対象としている。
【００１７】
図４と図５のカメラ操作画面に表示されている外観図において、カメラ１の各種の操作部材や表示部材をそれぞれ表している部分を、以下ではマークと称する。図４のカメラ操作画面には、電源スイッチマーク４１、シャッターボタンマーク４２、上面表示パネルマーク４３および撮影モード選択ダイヤルマーク４４の各マークが表示されている。また、図５のカメラ操作画面には、表示モニタマーク４５、十字キーマーク４６、ＡＦモード選択ダイヤルマーク４７、コマンドダイヤルマーク４８および背面表示パネルマーク４９の各マークが表示されている。なお以降では、これらの各マークによって表されるカメラ１に実際に備えられている各種操作部材等についても、同一の符号を用いて説明するものとする。たとえば、カメラ１における電源スイッチを電源スイッチ４１と称する。
【００１８】
ここでカメラ１について説明する。図４における外観図に示されるように、カメラ１の上面右側には電源スイッチ４１、シャッターボタン４２および上面表示パネル４３が配設されており、上面左側には撮影モード選択ダイヤル４４が設けられている。また、図５における外観図に示されるように、カメラ１の背面略中央には表示モニタ４５が配設されている。この表示モニタ４５の右側には、上に十字キー４６が設けられ、その下にＡＦモード選択ダイヤル４７が設けられている。さらに、カメラ１の背面右上部にはコマンドダイヤル４８が配設され、表示モニタ４５の下側には背面表示パネル４９が設けられている。なお、上記以外の各種のスイッチ類等がカメラ１に設けられていてもよい。その場合、図４または図５のカメラ操作画面に表示される外観図において、そのスイッチ類等を表すためのマークが表示される。
【００１９】
カメラ１において、上面表示パネル４３と背面表示パネル４９には、カメラ１の各種設定状態等、たとえばシャッタースピードや絞り値、撮影可能枚数、画質モードなどが表示される。上面表示パネル４３と背面表示パネル４９にそれぞれ同じ内容が表示されてもよいし、各々に異なる内容が表示されてもよい。撮影モードダイヤル４４は、撮影モードを選択するための操作部材である。カメラ１のユーザは、撮影モードダイヤル４４の操作によって撮影モードを切り替えることにより、通常の撮影以外にも、たとえば連続撮影やセルフタイマー撮影などを行うことができる。表示モニタ４５には、撮影によって記録された撮影画像などが表示される。
【００２０】
十字キー４６は、撮影時のフォーカスエリアの選択位置を上下左右に移動させるための操作部材である。このフォーカスエリアについて詳しくは後で説明する。ＡＦモード選択ダイヤル４７は、オートフォーカス（ＡＦ）のモードを選択するための操作部材である。カメラ１を実際に操作するとき、ユーザはＡＦモード選択ダイヤル４７を操作して、ＡＦモード１とＡＦモード２のいずれかに切り替えることができる。コマンドダイヤル４８は、選択項目の変更や、表示モニタ４５に表示される撮影画像のコマを変更するための操作部材である。カメラ１は、以上説明したような操作部材や表示部材などを備えている。
【００２１】
なお、本実施形態の「ＡＦモード１撮影」ページと「ＡＦモード２撮影」ページにおいて提供されるコンテンツ内容は、実際の撮影時におけるカメラ１のＡＦモード１とＡＦモード２の動作内容にそれぞれ対応している。すなわち、カメラ１においてＡＦモード１は被写体が静止しているとき（または、動きが少ないとき）の撮影に適しており、ＡＦモード２は被写体が動いているときの撮影に適している。カメラ１のユーザは、ＡＦモード選択ダイヤル４７を用いてＡＦモードを選択することにより、実際の撮影時において被写体の動作状態に応じた撮影ができる。
【００２２】
「ＡＦモード１撮影」ページにおいて、図４または図５のカメラ操作画面が端末のディスプレイに表示されると、さらに、上記の各マークのいずれかをクリックするような指示が表示される。たとえば、図４において矢印４０が表示され、これによってサービス利用者は電源スイッチマーク４１をクリックするよう指示される。指示されたマークがサービス利用者によってクリックされると、また別のマークに対するクリックの指示が表示される。このようにして、カメラ１の操作手順に応じて、クリックを指示されるマークが順番に変化していく。これにより、カメラ１を実際に操作するときの操作方法をサービス利用者に対して説明する。
【００２３】
たとえば、最初に電源スイッチマーク４１のクリックが指示され、次にＡＦモード選択ダイヤルマーク４７をクリックするよう指示され、その後、シャッターボタンマーク４２のクリックを指示される。これにより、カメラ１を実際に操作するときには、電源スイッチ４１、ＡＦモード選択ダイヤル４７、シャッターボタン４２の順に操作することがサービス利用者に対して説明される。この操作が実際にカメラ１に対して行われると、電源がオンされ、ＡＦモード１が選択された後、被写体に向けてシャッターボタン４２が半押しされることにより、周知の焦点調節（オートフォーカス）処理が実行されて、カメラ１が合焦状態となる。以上説明したようにして、図４および図５のカメラ操作画面により、カメラ１が合焦状態となるまでの操作手順が説明される。
【００２４】
なお、上記のようにして各マークを順にクリックするように指示するときには、図４と図５のカメラ操作画面のうち、カメラ１の外観図のアングルがその指示表示に適切である方を表示する。たとえば、電源スイッチマーク４１のクリック指示を表示するときには、図４を表示して上方からの外観図が表示されるようにし、ＡＦモード選択ダイヤルマーク４７のクリックを指示するときには、図５を表示して背面からの外観図が表示されるようにする。
【００２５】
あるいは、図４と図５の両方のカメラ操作画面を別ウィンドウなどで同時に表示するようにしてもよいし、１つの画面にまとめて表示するようにしてもよい。さらに他のアングルによるカメラ操作画面、たとえばカメラ１を前面から見たときの外観図によるカメラ操作画面などを表示するようにしてもよい。
【００２６】
以上説明したようにしてカメラ１が合焦状態となるまでの操作手順が説明されると、次に図６に示す画面（以下、フォーカスエリア選択画面という）が表示される。このフォーカスエリア選択画面には、撮影対象画像５０と前述の十字キーマーク４６が表示されている。撮影対象画像５０上には、１１個のフォーカスエリアマークａ〜ｋが配置されている。撮影対象画像５０は、カメラ１を用いた実際の撮影において、カメラ１が合焦状態のときの撮影対象像を表している。また、フォーカスエリアマークａ〜ｋは、その撮影対象像に対して設定される焦点検出用のフォーカスエリアａ〜ｋをそれぞれ表している。この撮影対象像とフォーカスエリアａ〜ｋは、カメラ１においてファインダー内に表示される。
【００２７】
サービス利用者は、図６のフォーカスエリア選択画面において十字キーマーク４６をクリックすることにより、次に説明するようにフォーカスエリアマークａ〜ｋのうちいずれか１つを選択することができる。選択されたフォーカスエリアマークは、他のフォーカスエリアマークとは異なる色彩表示などによって強調表示される。図６には、中心に配置されているフォーカスエリアマークｆが選択されている様子を示している。
【００２８】
図６において、サービス利用者が十字キーマーク４６をクリックすると、クリック位置に応じた方向にフォーカスエリアマークの選択対象が移動する。たとえば、十字キーマーク４６の上側をクリックすると、フォーカスエリアマークｆから上方向に選択対象が移動して、フォーカスエリアマークｅが選択される。また、フォーカスエリアマークｆ以外が選択されているときに十字キーマーク４６の中心部分をクリックすると、そのクリックに応じて中心のフォーカスエリアマークｆが選択される。このようにして、サービス利用者は任意のフォーカスエリアマークを選択することができる。
【００２９】
上記のようにしていずれかのフォーカスエリアマークが選択されると、そのフォーカスエリアマーク内の被写体に合わせて撮影対象画像５０の焦点調節が行われ、撮影対象画像５０の表示が変化する。たとえば、フォーカスエリアマークａ〜ｄのいずれかが選択されたときには、被写体（人物）５１にピントが合わせられた撮影対象画像５０が表示される。また、フォーカスエリアマークｅ〜ｇのいずれかが選択されたときには、被写体５２にピントが合わせられた撮影対象画像５０が表示される。その結果、撮影対象画像５０はピントが合っている部分についてはクリアに表示され、ピントが合っていない部分はぼやけて表示される。すなわち、フォーカスエリアマークａ〜ｄのいずれかが選択されている場合には、被写体５１はクリアに、また被写体５２はぼやけて表示される。一方、フォーカスエリアマークｅ〜ｇのいずれかが選択されている場合には、逆に被写体５１はぼやけて表示され、被写体５２はクリアに表示される。なお、フォーカスエリアマークｈ〜ｋのいずれかが選択された場合は、撮影対象画像５０の背景部分にピントが合わせられることになるため、いずれの被写体もぼやけて表示される。このようにして、フォーカスエリアマークの選択結果に応じて、撮影対象画像５０の焦点調節が行われる。
【００３０】
なお、実際のカメラ１においても、ＡＦモード１のときに、上記と同様の操作によって焦点調節が行われる。すなわち、カメラ１のユーザは合焦状態において十字キー４６のいずれかの位置を押して操作することにより、フォーカスエリアの選択対象を移動することができる。そして、選択したフォーカスエリア内の被写体に合わせて焦点調節処理が実行され、撮影対象像のピントが調節される。
【００３１】
以上説明したようにして、図６のフォーカスエリア選択画面により、カメラ１において焦点調節を行うときの操作手順が説明される。サービス利用者は、任意のフォーカスエリアマークを選択して撮影対象画像５０のピントを決定したら、「次へ」と書かれた符号７０に示す部分をクリックする。
【００３２】
図６の符号７０に示す部分がクリックされると、図４（または図５）に示すカメラ操作画面が再び表示されて、シャッターボタンマーク４２のクリック指示が表示される。サービス利用者がその指示表示に応じてシャッターボタンマーク４２をクリックすると、図７に示す撮影画像５０Ａが表示される。この撮影画像５０Ａは、カメラ１において上記のようにして焦点調節が行われた後に、カメラ１のユーザがシャッターボタン４２を押して撮影した像による撮影画像を表している。なお、表示される撮影画像５０Ａのピント状態は、図６において符号７０の部分をクリックしたときに表示されていた撮影対象画像５０のピント状態に等しい。このようにして、カメラ１において焦点調節後に写真撮影を完了するまでの操作手順が説明される。
【００３３】
以上説明したように、「ＡＦモード１撮影」ページにおいて、はじめに図４および図５のカメラ操作画面により、カメラ１が合焦状態となるまでの操作手順が説明され、次に図６のフォーカスエリア選択画面により、焦点調節時の操作手順が説明される。そして、再び図４と図５のカメラ操作画面により、焦点調節後から写真撮影完了までの操作手順が説明され、図７の撮影画像５０Ａが表示される。こうして、カメラ１を実際に操作してＡＦモード１で写真撮影するときの開始から終了までの操作方法が、サービス利用者に対して説明される。
【００３４】
「ＡＦモード１撮影」ページにおいて端末により実行されるフローチャートを図８に示す。このフローチャートは、図３の「ＡＦモード１撮影」のリンク先ボタン３３がクリックされることによって実行される。ステップＳ１００では、リンク先ボタン３３のクリックに応じてデータセンタから送信されるプログラムを受信する。このとき、必要な画像データなども合わせて受信しておく。ステップＳ２００では、図４または図５に示すカメラ操作画面を表示する処理を実行する。このときの具体的な処理内容については、後で図９のフローチャートを用いて詳しく説明する。
【００３５】
ステップＳ３００では、図６に示すフォーカスエリア選択画面を表示する処理を実行する。このときの具体的な処理内容については、後で図１０のフローチャートを用いて詳しく説明する。ステップＳ４００では、ステップＳ２００と同じ処理を実行して、図４または図５に示すカメラ操作画面を表示する。ステップＳ５００では、図７に示す撮影画像５０Ａを表示する。ステップＳ５００を実行した後は、図８に示す処理フローを終了する。以上説明した処理を端末において実行することにより、「ＡＦモード１撮影」ページが表示され、カメラ１を用いた写真撮影における操作方法が説明される。
【００３６】
次に、ステップＳ２００およびＳ４００において実行されるカメラ操作画面の表示処理を図９により説明する。ステップＳ２１０では、図４または図５に示すカメラ操作画面のいずれかを表示する。このとき、前述したように、次のステップＳ２２０でクリック指示を表示するときに、カメラ１の外観図のアングルがその表示に適切である方を表示する。ステップＳ２２０では、ステップＳ２１０で表示したカメラ操作画面において、各マークのいずれかをクリックするように指示するためのクリック指示を表示する。なお、各マークに対してクリックを指示する順序は、カメラ１の操作手順に基づいて予め設定されている。この順番を表すためのデータは、図８のステップＳ１００においてデータセンタから送信されることにより端末に記憶される。ステップＳ２２０では、その順番に従って順次クリック指示を表示する。
【００３７】
ステップＳ２３０では、ステップＳ２２０においてクリック指示を表示したマークがクリックされたか否かを判定する。そのマークがクリックされるまではステップＳ２３０から先へは進まず、クリックされたときに次のステップＳ２４０へ進む。ステップＳ２４０では、次の画面表示へ移行するか否かを判定する。ここでいう次の画面とは、図６のフォーカスエリア選択画面、または図７の撮影画像５０Ａの表示画面である。次の画面表示へ移行すると判定した場合は、図９の処理フローを終了して、図８のステップＳ２００からＳ３００へ、またはＳ４００からＳ５００へ進む。一方、次の画面表示へ移行しないと判定した場合は、ステップＳ２５０へ進む。
【００３８】
なお、上記のステップＳ２４０における判定処理は、ステップＳ２１０においてどのマークに対してクリック指示を表示したか判断することによって行われる。具体的には、ステップＳ２１０において、カメラ１を合焦状態とする操作あるいは撮影操作に対応するマークに対してクリック指示を表示した場合には、その後のステップＳ２４０を肯定判定する。すなわち、ステップＳ２１０において、シャッターボタンマーク４２に対してクリック指示を表示した場合は、その後のステップＳ２４０を肯定判定する。これ以外のマークに対してクリック指示を表示した場合は、その後のステップＳ２４０を否定判定する。
【００３９】
ステップＳ２５０では、カメラ１の外観図のアングルを切り替えるか否かを判定する。切り替えると判定した場合はステップＳ２６０へ進む。ステップＳ２６０では、表示するカメラ操作画面を切り替える。それまで図４のカメラ操作画面を表示していた場合は、図５のカメラ操作画面を表示し、逆に図５のカメラ操作画面を表示していた場合は、図４のカメラ操作画面を表示する。ステップＳ２６０を実行した後は、ステップＳ２２０へ戻る。一方、ステップＳ２５０においてカメラ１の外観図のアングルを切り替えないと判定した場合は、ステップＳ２６０を実行せずにステップＳ２２０へ戻る。
【００４０】
なお、上記のステップＳ２５０における判定処理は、前述のクリック指示の順番に基づいて行われる。具体的には、各クリック指示について図４と図５のどちらのカメラ操作画面を表示するかが予め設定されており、次のクリック指示のときに表示されるカメラ操作画面と、その時点で表示されているカメラ操作画面とが異なっている場合には、ステップＳ２５０を肯定判定する。そうではなく、次のクリック指示のときに表示されるカメラ操作画面も同じであれば、ステップＳ２５０を否定判定する。
【００４１】
以上説明したカメラ操作画面の表示処理が、図８のステップＳ２００とＳ４００において実行される。
【００４２】
次に、ステップＳ３００において実行されるフォーカスエリア選択画面の表示処理を図１０により説明する。ステップＳ３１０では、図６に示すフォーカスエリア選択画面を表示する。このとき、いずれかのフォーカスエリアマーク、たとえば中心のフォーカスエリアマークｆをはじめに選択しておき、このフォーカスエリアマークｆにピントが合っている撮影対象画像５０が表示されるようにしておくことが好ましい。
【００４３】
ステップＳ３２０では、十字キーマーク４６がクリックされたか否かを判定する。クリックされた場合はステップＳ３３０へ進み、クリックされていない場合はステップＳ３６０へ進む。以下、ステップＳ３３０へ進んだ場合から先に説明する。
【００４４】
ステップＳ３３０では、十字キーマーク４６のクリック位置に応じて、フォーカスエリアマークの選択対象を移動させる。ステップＳ３４０では、そのとき選択されているフォーカスエリアマークに応じて、予め記憶された複数の画像の中からいずれかを選択する。ステップＳ３５０では、ステップＳ３４０で選択した画像を撮影対象画像５０として表示する。ステップＳ３５０を実行した後は、ステップＳ３２０へ戻る。
【００４５】
なお本実施形態では、上記のように予め記憶された複数の画像からいずれかが選択されることによって、サービス利用者が選択したフォーカスエリアマーク内の被写体にピントが合っている撮影対象画像５０が表示されるものとする。このとき用いられる複数の画像のデータは、図８のステップＳ１００においてデータセンタから送信されることにより、端末に記憶される。このとき、各画像がどのフォーカスエリアマークに対応しているかを表す対応関係のデータも合わせて送信される。
【００４６】
一方、ステップＳ３２０からステップＳ３６０へ進んだ場合は、ステップＳ３６０において、「次へ」と書かれた図６の符号７０に示す部分がクリックされたか否かを判定する。この部分がクリックされた場合は、図１０の処理フローを終了して、図８のステップＳ３００からステップＳ４００へ進む。一方、符号７０に示す部分がクリックされていない場合は、ステップＳ３２０へ戻る。
【００４７】
以上説明したフォーカスエリア選択画面の表示処理が、図８のステップＳ３００において実行される。こうして、図９および図１０により説明した各サブルーチン処理が図８のステップＳ２００，Ｓ３００およびＳ４００において実行されることにより、「ＡＦモード１撮影」ページが表示される。
【００４８】
−ＡＦモード２撮影−
次に、「ＡＦモード２撮影」ページについて説明する。図３の画面において「ＡＦモード２撮影」ページへのリンク先ボタン３４がクリックされると、図４または図５に示すカメラ操作画面が端末のディスプレイに表示される。このカメラ操作画面において表示されるクリック指示に従って、サービス利用者は各表示マークを順にクリックしていく。このようにして、「ＡＦモード１撮影」ページのときと同様に、カメラ１が合焦状態となるまでの操作手順が説明される。
【００４９】
カメラ１が合焦状態となるまでの操作手順が説明されると、図１１に示す画面（以下、フォーカスエリアグループ選択画面という）が表示される。このフォーカスエリアグループ選択画面には、図６のフォーカスエリア選択画面と同様に、撮影対象画像６０と十字キーマーク４６が表示されている。撮影対象画像６０には、図６の撮影対象画像５０と同様にフォーカスエリアマークａ〜ｋが配置されている。なお、撮影対象画像６０は、撮影対象画像５０と同じく、カメラ１を用いた実際の撮影時において合焦状態のときの撮影対象像を表している。
【００５０】
撮影対象画像６０には動画が表示されており、被写体（人物）６１〜６４は時間の経過に応じて撮影対象画像６０内を移動している。図１１には、撮影対象画像６０に表示される動画の１フレーム（１コマ）を示している。このフレームにおいて、各被写体は撮影方向の手前側より順に、被写体６１、６３、６２、６４の順に並んでいる。この順番は時間の経過によって撮影対象画像６０内で様々に変化するため、他のフレームではこの限りでない。なお、撮影対象画像６０には所定時間分の動画が繰り返し再生表示されてもよいし、１回だけ動画が表示されるものであってもよい。
【００５１】
「ＡＦモード２撮影」ページでは、図１１のフォーカスエリアグループ選択画面において一度に複数のフォーカスエリアマークが選択される。最初は、図１１に示すように中心のフォーカスエリアマークｆと、その周辺のフォーカスエリアマークｃ，ｅ，ｇおよびｉが選択されている。サービス利用者が十字キーマーク４６をクリックすると、図６の場合と同様に、そのクリック位置に応じて選択対象とされるフォーカスエリアマークが移動する。たとえば、十字キーマーク４６の上側をクリックすると、中心のフォーカスエリアマークｆの上に位置するフォーカスエリアマークｅと、その周辺のフォーカスエリアマークｂ，ｆおよびｈが選択される。こうして選択される複数のフォーカスエリアマークを、以下ではフォーカスエリアマークグループという。
【００５２】
上記のようにしてフォーカスエリアマークグループが選択されると、その複数のフォーカスエリアマーク内の被写体のうち最も手前側に位置している被写体に合わせて、撮影対象画像６０のピントが調節される。図１１に示す画像フレームにおいては、たとえばフォーカスエリアマークｆを中心とした前述のフォーカスエリアマークグループが選択されている場合には、それらのフォーカスエリアマーク内の被写体のうち最も手前側に位置している被写体６３にピントが合わせられた撮影対象画像６０が表示される。また、フォーカスエリアマークａ〜ｄおよびｆよりなるフォーカスエリアマークグループが選択された場合は、被写体６１にピントが合わせられた撮影対象画像６０が表示される。すなわち、フォーカスエリアマークｆを中心としたフォーカスエリアマークグループが選択されている場合には、被写体６３はクリアに、それ以外の被写体６１、６２および６４はぼやけて表示される。このとき、被写体６３から遠くに位置する被写体ほど、よりぼやけて表示される。一方、フォーカスエリアマークａ〜ｄおよびｆよりなるフォーカスエリアマークグループが選択されている場合には、被写体６１がクリアに表示され、それ以外の被写体６２〜６４はぼやけて表示される。このようにして、フォーカスエリアマークグループの選択結果に応じて、撮影対象画像６０のピントが調節される。
【００５３】
なお、実際のカメラ１においても、ＡＦモード２のときに、上記と同様の操作によって焦点調節が行われる。すなわち、カメラ１のユーザは合焦状態において十字キー４６のいずれかの位置を押して操作することにより、フォーカスエリアグループの選択対象を移動することができる。そして、選択したフォーカスエリアグループ内の被写体のうち、最も手前側に位置している被写体に合わせて焦点調節処理が実行され、撮影対象像のピントが調節される。カメラ１は、ＡＦモード２においてこのように複数のフォーカスエリアを使用して焦点調節を行うことにより、動きのある被写体に対しても確実に合焦できるようにしている。
【００５４】
以上説明したようにして、図１１のフォーカスエリアグループ選択画面により、カメラ１において焦点調節を行うときの操作手順が説明される。サービス利用者は、任意のフォーカスエリアマークグループを選択して撮影対象画像６０のピントを決定したら、適当な撮影タイミングで「次へ」と書かれた符号７０に示す部分をクリックする。すると、「ＡＦモード１撮影」ページのときと同様に、図４（または図５）に示すカメラ操作画面が再び表示される。そのカメラ操作画面において、表示される指示に従ってシャッターボタンマーク４２をクリックすると、図１２に示す撮影画像６０Ａが表示される。この撮影画像６０Ａは、カメラ１のユーザがシャッターボタン４２を押して撮影した像による撮影画像を表している。なお、表示される撮影画像６０Ａのピント状態は、図１１において符号７０の部分をクリックしたときに表示されていた撮影対象画像６０のピント状態に等しい。また撮影画像６０Ａは、図１１のフォーカスエリアグループ選択画面において決定した撮影タイミングに応じて、撮影対象画像６０に表示される動画の１フレームを画面表示したものである。
【００５５】
「ＡＦモード２撮影」ページにおいて上記で説明した各画面が表示されることにより、カメラ１を実際に操作してＡＦモード２で写真撮影するときの開始から終了までの操作方法が、サービス利用者に対して説明される。
【００５６】
「ＡＦモード２撮影」ページにおいて端末により実行されるフローチャートを図１３に示す。このフローチャートは、図３の「ＡＦモード２撮影」のリンク先ボタン３４がクリックされることによって実行される。なお、図８に示す「ＡＦモード１撮影」ページを表示するときのフローチャートと同一内容の処理ステップについては、図１３においても同一のステップ番号としている。
【００５７】
ステップＳ１００とＳ２００において前述の「ＡＦモード１撮影」と同様の処理ステップ内容を実行した後、ステップＳ３００Ａでは、図１１に示すフォーカスエリアグループ選択画面を表示する処理を実行する。このときの具体的な処理内容については、後で図１４のフローチャートを用いて詳しく説明する。その後、「ＡＦモード１撮影」と同様のステップＳ４００を実行し、さらにステップＳ５００を実行することにより、図１２に示す撮影画像６０Ａを表示する。ステップＳ５００を実行した後は、図１３に示す処理フローを終了する。以上説明した処理を端末において実行することにより、「ＡＦモード２撮影」ページが表示され、カメラ１を用いた写真撮影における操作方法が説明される。
【００５８】
次に、ステップＳ３００Ａにおいて実行されるフォーカスエリアグループ選択画面の表示処理を図１４により説明する。なお、図１０に示すフォーカスエリア選択画面の表示処理におけるフローチャートと同一内容の処理ステップについては、図１４においても同一のステップ番号としている。この同一内容の処理ステップについては、以下において説明を省略することがある。
【００５９】
ステップＳ３１１では、図１１に示すフォーカスエリアグループ選択画面を表示する。このとき、いずれかのフォーカスエリアグループ、たとえば中心のフォーカスエリアマークｆと、その周辺のフォーカスエリアマークｃ，ｅ，ｇおよびｉとを、最初のフォーカスエリアグループとして選択しておくことが好ましい。ステップＳ３１２では、撮影対象画像６０の１フレーム目の画像として、予め記憶された複数の画像の中からいずれかを表示する。
【００６０】
ステップＳ３３１では、十字キーマーク４６のクリック位置に応じてフォーカスエリアマークグループを移動させる。ステップＳ３４１では、そのときのフォーカスエリアマークグループに応じて、撮影対象画像６０に動画を表示するために用いる図１５の画像対応表において、使用する列を変更する。なお、この画像対応表については後で詳しく説明する。ステップＳ３５１では、図１５の画像対応表に基づいて選択した次のフレームの画像を、撮影対象画像６０として表示する。ステップＳ３５１を実行した後は、ステップＳ３２０へ戻る。
【００６１】
なお本実施形態では、上記のように予め記憶された複数の画像をフレーム順に表示することによって、撮影対象画像６０に動画を表示するものとする。たとえば、図１５に示す画像対応表の関係を用いて、画像をフレーム順に表示する。この画像対応表は、図１１のフォーカスエリアグループ選択画面において選択されているフォーカスエリアマークグループと、撮影対象画像６０として表示する画像の表示順序との関係を表している。なお、図１５の画像対応表を表すためのデータは、画像データとともに図１３のステップＳ１００においてデータセンタから送信されることにより、端末に記憶される。
【００６２】
たとえば、フォーカスエリアマークグループＡが選択されているときには、図１５においてフォーカスエリアマークグループＡに対応している列の順序に従って、画像＃１，画像＃１１，画像＃２１，・・・を、所定のフレームレートで順番に表示する。他のフォーカスエリアマークグループが選択されているときにも、同様に図１５において対応する列の順序に従って画像を順番に表示する。このようにすることで、フォーカスエリアマークグループの選択結果に応じた動画を撮影対象画像６０に表示できる。図１４のステップＳ３５１では、この図１５の画像対応表において対応する列の順序に従って、次のフレームの画像を選択して表示する。
【００６３】
なお、図１５に示されているフォーカスエリアマークグループＡ〜Ｅは、前述したように十字キーマーク４６のクリックによって選択されるフォーカスエリアマークグループのそれぞれを表している。たとえば、フォーカスエリアマークグループＡは、中心のフォーカスエリアマークｆと、その周辺のフォーカスエリアマークｃ，ｅ，ｇおよびｉよりなるフォーカスエリアマークグループを表している。
【００６４】
さらに、上記のようにして撮影対象画像６０に動画を表示しているときに、それまでと異なるフォーカスエリアマークグループが選択された場合は、その時点から図１５の画像対応表において使用する列を変更し、その変更後の列に従って画像を順番に表示する。たとえば、フォーカスエリアマークグループＡが選択されて画像＃２１までを順番に表示した時点で、次にフォーカスエリアマークグループＢが選択された場合は、その時点より使用する列をフォーカスエリアマークグループＢに対応する列に変更する。これにより、画像＃２１の次のフレームでは画像＃３２が表示され、その後は、画像＃４２，画像＃５２，・・・という順番で表示される。このようにすることで、動画表示中に異なるフォーカスエリアマークグループが選択された場合においても、その選択後のフォーカスエリアマークグループに応じた動画を撮影対象画像６０に表示できる。図１４のステップＳ３４１では、以上説明したように図１５の画像対応表の使用する列を変更する。
【００６５】
以上説明したフォーカスエリアグループ選択画面の表示処理が、図１３のステップＳ３００Ａにおいて実行される。このサブルーチン処理が図８のステップＳ３００Ａにおいて実行されることにより、「ＡＦモード２撮影」ページが表示される。
【００６６】
以上説明した実施の形態によれば、次の作用効果を奏する。
（１）カメラ１に配設されている様々な操作部材をそれぞれ表す各種マークを図４または図５のカメラ操作画面において画面表示し、この各種マークに対するサービス利用者のクリック操作に基づいて、カメラ１の操作方法を説明することとした。このようにしたので、実際にカメラを使用したときの操作方法をコンピュータ上で分かりやすく説明できる。
【００６７】
（２）図４または図５のカメラ操作画面において表示される複数のマークに対して、カメラ１の操作手順に基づいて予め定められた順序で、クリック操作を指示するためのクリック指示を表示する。クリック指示を表示したマークがサービス利用者によりクリックされると、それに応じて次のマークに対してクリック指示を表示する。こうしてカメラの操作手順に応じてクリック指示の表示を繰り返すこととした。このようにしたので、カメラの操作手順をコンピュータ上で分かりやすく説明できる。
【００６８】
（３）図６のフォーカスエリア選択画面、または図１１のフォーカスエリアグループ選択画面を表示する。図６のフォーカスエリア選択画面においては、十字キーマーク４６に対するサービス利用者のクリック操作に基づいて単数のフォーカスエリアマークを選択し、選択されたその単数のフォーカスエリアマーク内の被写体に合わせて焦点調節された撮影対象画像５０を表示することとした。また、図１１のフォーカスエリアグループ選択画面においては、十字キーマーク４６に対するサービス利用者のクリック操作に基づいて、複数のフォーカスエリアマークよりなるフォーカスエリアマークグループを選択し、選択されたそのフォーカスエリアマークグループ内の被写体に合わせて焦点調節された撮影対象画像６０を表示することとした。このようにしたので、カメラにおいて焦点調節を行うときの操作方法をコンピュータ上で分かりやすく説明できる。
【００６９】
（４）図１１のフォーカスエリアグループ選択画面において、フォーカスエリアマークグループとして選択された複数のフォーカスエリアマーク内の被写体のうち、最も手前側に位置している被写体に合わせて焦点調節された撮影対象画像６０を表示することとした。このようにしたので、動きのある被写体に対しても確実に焦点調節を実行するために、カメラにおいて複数のフォーカスエリアを使用して焦点調節を行うときの様子を、コンピュータ上で分かりやすく説明できる。
【００７０】
（５）また、図１１のフォーカスエリアグループ選択画面において、撮影対象画像６０として複数の画像を所定のフレーム順序で画面表示することにより動画を表示する。そして、サービス利用者の入力操作に基づいて決定された撮影タイミングに応じて、その動画の１フレームの画像を撮影画像６０Ａとして表示することとした。このようにしたので、カメラにおいて動きのある被写体に対してピント調節を行うときの操作方法をコンピュータ上で分かりやすく説明できる。
【００７１】
なお、上記の実施の形態では、同じ構図で焦点調節状態の異なる複数の画像、すなわち様々な被写体にピントが合わせられた複数の画像を予め記憶しておき、図６または図１１におけるフォーカスエリアマークの選択結果に応じてその複数の画像の中からいずれかを選択することにより、選択されたフォーカスエリアマーク内の被写体にピントが合っている撮影対象画像を表示することとした。しかし、予め用意した１つの焦点調節状態の画像（または、１つの焦点調節状態の動画）に対して、選択されたフォーカスエリアマーク内の被写体についてはクリアに表示し、それ以外の被写体はぼかして表示するような画像処理を行うことにより、１つの画像で様々な焦点調節状態の撮影対象画像を表示することとしてもよい。なお、このとき用意する画像または動画は、全ての被写体に対してピントが合っていること、すなわち全ての被写体がクリアに表示されていることが好ましい。
【００７２】
また、上記の実施の形態において、図４および図５に示す各マークがクリックされたときには、そのマークが表しているカメラ１の操作部材類の動きを模擬して、そのマークの表示形態を変化させてもよい。たとえば、電源スイッチマーク４１がクリックされたときには、電源スイッチ４１の回転動作を模擬するために、電源スイッチマーク４１を回転表示する。
【００７３】
さらに、上面表示パネルマーク４３や背面表示パネルマーク４９など、カメラ１の表示部材類を表すマークについては、その他のマークのクリック状態に応じて、その表示部材類の表示内容を模擬するように表示形態を変化させることが好ましい。たとえば、上面表示パネルマーク４３と背面表示パネルマーク４９について、電源スイッチマーク４１がクリックされたときには、カメラ１が電源投入された時点で上面表示パネル４３と背面表示パネル４９にそれぞれ表示される内容を模擬した表示形態により、各々を表示する。
【００７４】
上記の実施の形態では、「ＡＦモード１撮影」ページまたは「ＡＦモード２撮影」ページを表示するために必要なプログラムや画像データなどを、データセンタより端末へ全てダウンロードしてから、端末において各処理を実行する方法を説明した。しかし、このようにはせず、端末における入力操作に応じて、データセンタからその都度必要なデータだけを端末へダウンロードするようにしてもよい。
【００７５】
上記の実施の形態ではデジタル一眼レフカメラの製品情報を紹介する例を説明したが、その他のカメラ、たとえばフィルム式一眼レフカメラなどについても、同様に本発明を適用できる。上記の実施の形態において説明した内容はあくまで一例であって、本発明はこの内容に限定されるものではない。本発明の技術的思想の範囲内で考えられるその他の態様も、本発明の範囲内に含まれる。
【図面の簡単な説明】
【００７６】
【図１】本発明の一実施の形態によるWebサイト用コンテンツが登録されるWebサイトの全体構成例を示す図である。
【図２】サービス利用者の端末のディスプレイに表示されるWebのトップページの画面例を示す図である。
【図３】「製品紹介」ページにおいて端末のディスプレイに表示される製品紹介の画面例を示す図である。
【図４】「ＡＦモード１撮影」および「ＡＦモード２撮影」ページにおいて表示されるカメラ操作画面の例を示す図である。
【図５】同じく「ＡＦモード１撮影」および「ＡＦモード２撮影」ページにおいて表示されるカメラ操作画面の例を示す図である。
【図６】「ＡＦモード１撮影」ページにおいて表示されるフォーカスエリア選択画面の例を示す図である。
【図７】「ＡＦモード１撮影」ページにおいて表示される撮影画像の例を示す図である。
【図８】「ＡＦモード１撮影」ページにおいて端末により実行される処理のフローチャートである。
【図９】カメラ操作画面の表示処理において実行されるサブルーチン処理のフローチャートである。
【図１０】フォーカスエリア選択画面の表示処理において実行されるサブルーチン処理のフローチャートである。
【図１１】「ＡＦモード２撮影」ページにおいて表示されるフォーカスエリアグループ選択画面の例を示す図である。
【図１２】「ＡＦモード２撮影」ページにおいて表示される撮影画像の例を示す図である。
【図１３】「ＡＦモード２撮影」ページにおいて端末により実行される処理のフローチャートである。
【図１４】フォーカスエリアグループ選択画面の表示処理において実行されるサブルーチン処理のフローチャートである。
【図１５】フォーカスエリアグループ選択画面において撮影対象画像を表示するときに用いられる画像対応表の例を示す図である。
【符号の説明】
【００７７】
１：カメラ
４１：電源スイッチマーク
４２：シャッターボタンマーク
４３：上面表示パネルマーク
４４：撮影モード選択ダイヤルマーク
４５：表示モニタマーク
４６：十字キーマーク
４７：ＡＦモード選択ダイヤルマーク
４８：コマンドダイヤルマーク
４９：背面表示パネルマーク
５０，６０：撮影対象画像
５０Ａ，６０Ａ：撮影画像
【図１】
2006048112.tif 000003
【図２】
2006048112.tif 000004
【図３】
2006048112.tif 000005
【図４】
2006048112.tif 000006
【図５】
2006048112.tif 000007
【図６】
2006048112.tif 000008
【図７】
2006048112.tif 000009
【図８】
2006048112.tif 000010
【図９】
2006048112.tif 000011
【図１０】
2006048112.tif 000012
【図１１】
2006048112.tif 000013
【図１２】
2006048112.tif 000014
【図１３】
2006048112.tif 000015
【図１４】
2006048112.tif 000016
【図１５】
2006048112.tif 000017